Podtech/llm-jp-corpus-v4-ja_patent huggingface dataset:
(57)【要約】      （修正有）【課題】携帯電話やＰＨＳからの着信を受け入れない着信者課金電話番号へ、携帯電話やＰＨＳからでも発信できるようにするため、着信者課金電話番号へ発信できる電話回線を経由させることができる電話中継装置を提供する。【解決手段】着信用の電話回線と中継に用いる発信可能な電話回線を備え、着信用電話回線からの着信呼信号を認識する着信呼信号受信装置と、該着信呼信号によって着信用電話回線と接続される、発信者側電話機から入力されたＰＢ信号を受信するＰＢ信号受信装置と、該ＰＢ信号により入力された電話番号が正当であるか判断し、中継用に用いる発信用電話回線を用いて該ＰＢ信号により入力された電話番号へ発呼する制御装置を有し、発信者と中継先との通信を中継する。【選択図】図２
0003193239.tif 000002
【実用新案登録請求の範囲】
【請求項１】
着信用の電話回線と中継に用いる発信可能な電話回線を備え、
着信用の電話回線からの着信呼に応答し、
発信者が送信する信号を認識し、
認識した結果を処理し、
中継に用いる発信可能な電話回線を用いて中継先電話番号に発呼し、
発信者と中継先の通信を中継する装置。
【請求項２】
着信用に備えた電話回線と、
着信者課金電話番号へ発信できる電話回線とを接続できる端子を備え、
着信用に備えた電話回線からの着信呼を認識し
中継先となる電話番号を認識し、
発信可能な電話回線から中継先の電話番号へ接続する装置。
【考案の詳細な説明】
【技術分野】
【０００１】
本考案は、携帯電話事業者が行っている通話無料の制度を応用し、通常の手段では携帯電話やＰＨＳから発信できない着信先課金番号へ、発信者および着信者に特別な料金の負担をかけずに済む方法を実現するための装置に関する。
【背景技術】
【０００２】
通信技術の発達ならびに各携帯電話事業者の競争や企業努力などにより、通常では料金の発生する通話に関しても、一定の条件下ではあるが通話料金も無料になる契約方法が確立されてきた。
【先行技術文献】
【特許文献】
【０００３】
【特許文献１】特開２０１１−１５５３４２号公報
【非特許文献】
【０００４】
【非特許文献１】ＮＴＴｄｏｃｏｍｏ  料金＆キャンペーンカタログ  ２０１４  Ｖｏｌ．４
【考案の概要】
【考案が解決しようとする課題】
【０００５】
しかしながら、携帯電話やＰＨＳから着信者課金電話番号あてに発信すると、接続できないことがある。着信者課金電話番号のそばに通常の電話番号も併記されていることが多く、携帯電話やＰＨＳから発信する場合、その通常の電話番号へかけ直す他ないことになる。しかし、この併記がない場合は、携帯電話やＰＨＳからは、かけ直す方法がないことになる。これは、着信者課金電話制度上、一般の固定電話からの発信に比べ、携帯電話やＰＨＳからの発信を受けると、着信者に課金される料金が割高になり、着信者課金電話番号の保有者によって、携帯電話やＰＨＳからの発信を規制しているためである。
【０００６】
しかし、背景技術のとおり、現在では携帯電話やＰＨＳの契約で、一定の条件下ではあるが通話料金が無料になるものがある。
【０００７】
そこで、携帯電話やＰＨＳから着信者課金電話番号に接続出来ない場合には、直接その着信者課金電話番号に接続するのではなく、いったん携帯電話やＰＨＳからの呼を受信し、発信先の電話番号をボタン操作又はダイヤル操作で入力させ、その後着信者課金電話番号へ発信できる電話回線を用いて通話の中継を行い、携帯電話やＰＨＳから装置までは、携帯電話事業者の通話無料制度、装置から着信者課金電話番号へ発信できる電話回線を経由し、着信者課金電話番号までは通常の着信者課金料金で架電を可能とすること目的とする。
【課題を解決するための手段】
【０００８】
上記の課題を解決するために、本考案は、携帯電話やＰＨＳからの発信を受信する着信機能、携帯電話やＰＨＳから中継先の電話番号を指定するための情報を取得する機能、取得した電話番号が中継左記の電話番号として妥当であるか検証する機能、及び前記検証結果が妥当であった場合に限り、着信者課金電話番号へ発信できる電話回線へ中継する機能を有する装置からなる。
【考案の効果】
【０００９】
本考案の電話中継装置を利用することで、携帯電話事業者の通話無料制度を用いて、携帯電話やＰＨＳからの着信を規制している着信者課金電話番号あての通話を可能とすることができる。
【図面の簡単な説明】
【００１０】
【図１】図１は、この装置のシステム構成を示す
【図２】図２は、本考案の実施例を示す
【考案を実施するための形態】
【００１１】
本考察の装置を着信待機用のの電話回線及び着信者課金電話番号へ発信できる電話回線を接続し、着信を待機させておく。
【００１２】
着信を検知したら、接続されている電話回線をオフフック状態にし、適当な信号音等を出力し、発信者に対して接続を希望する相手方の着信者課金電話番号の入力を促す。
【００１３】
発信者から本考案の装置に入力されたデータが妥当であるか検証し、妥当である場合に限り、本装置に接続されている着信者課金電話番号へ発信できる電話回線から、入力された着信者課金電話番号へ発信する。
【００１４】
本装置による着信者課金電話番号への発信が終了した時点で、本装置を中継装置として発信者及び着信者課金電話番号との通信を確立する。
【００１５】
発信者又は着信者課金電話番号の着信者のいずれかが通信を終了した場合、その時点で本装置は回線を切断し、着信の待機状態に戻る。
【図１】
0003193239.tif 000003
【図２】
0003193239.tif 000004
【手続補正書】
【提出日】平成26年7月10日(2014.7.10)
【手続補正１】
【補正対象書類名】実用新案登録請求の範囲
【補正対象項目名】全文
【補正方法】変更
【補正の内容】
【実用新案登録請求の範囲】
【請求項１】
着信用の電話回線と中継に用いる発信可能な電話回線を備え、
着信用電話回線からの着信呼信号を認識する着信呼信号受信装置と、
該着信呼信号によって着信用電話回線と接続される、発信者側電話機から入力されたＰＢ信号を受信するＰＢ信号受信装置と、
該ＰＢ信号により入力された電話番号が正当であるか判断し、中継用に用いる発信用電話回線を用いて該ＰＢ信号により入力された電話番号へ発呼する制御装置を有する、
発信者と中継先との通信を中継する電話中継装置。
【請求項２】
着信用に備えた電話回線と、
着信者課金電話番号へ発信できる電話回線とを接続できる端子を備え、
着信用電話回線からの着信呼を認識する着信呼信号受信装置と、
該着信呼信号によって着信用電話回線と接続される、発信者側電話機から入力されたＰＢ信号を受信するＰＢ信号受信装置と、
該ＰＢ信号により入力された電話番号が着信者課金電話番号であることを認証する認証装置と
中継用に用いる発信用電話回線を用いて該ＰＢ信号により入力された電話番号へ発呼する制御装置を有する、
発信者と中継先との通信を中継する電話中継装置。
(57)【要約】      （修正有）【課題】靴紐の固定と解除を簡単に行い、使用中に緩まず、また構造が簡単で故障がなく、かつ安価な靴を提供する。【解決手段】船舶などのロープの固定に使用されているクリート３を靴紐用に小型化し、これを靴の一部に装着する。このクリート３に八の字結びなどで靴紐２をかけることにより、簡単でなおかつ強固に靴紐２を固定できる仕組みとする。また靴紐２をクリート３の端側にずらせることにより、簡単に靴紐２の固定を解除できるものである。【選択図】図１
0003193232.tif 000002
【実用新案登録請求の範囲】
【請求項１】
靴紐を持つ靴の一部に取り付けられたクリート形状のものに、靴紐をかけて固定することを特徴とする靴紐締結具。
【請求項２】
この靴紐締結具を備えた靴。
【考案の詳細な説明】
【技術分野】
【０００１】
本考案は、靴紐の固定が容易で、緩んだりほどけたりしない靴紐締結具に関するものである。
【背景技術】
【０００２】
靴紐締結方法の中で、従来からの主流は靴紐どうしを結ぶものである。しかし、この締結方法では、締結時に少し緩みやすく、使用中に緩んだりほどけたりするという欠点がある。
【０００３】
簡単に締結や解除をする方法として、カムスライダーやバネによる固定方法もあるが、緩みやすく強い固定はできない。
【０００４】
また最近では、ラチェットダイヤルによる靴紐の巻き上げ式の物が商品化されている。これは締結や解除作業は簡単で良いが、可動部分があるため、高価となり摩耗や故障の可能性もある。
【先行技術文献】
【特許文献】
【０００５】
【特許文献１】特開平7-208
【特許文献２】特開2005-118430
【考案の概要】
【考案が解決しようとする課題】
【０００６】
解決しようとする問題点は、使用中に靴紐が緩んだりほどけたりする点、及び可動部を持つ靴紐締結具では高価となり、またその摩耗や故障を防止できない点である。
【課題を解決するための手段】
【０００７】
本考案は、船舶などのロープの固定に使用されているクリートを小型化して靴に装着し、靴紐の固定に使用することをもっとも主要な特徴とする。
【考案の効果】
【０００８】
本考案の、靴紐締結具は、靴紐にかかる張力が、その下にある靴紐をクリートに押さえ付けるため、自然に緩むことはない。また、固定も解除も簡単であり、可動部がないため安価となり、故障がないという利点がある。
【図面の簡単な説明】
【０００９】
【図１】図1は靴の一部の靴紐締結部分の見取り図である。
【図２】図２は靴紐締結部分の拡大図である。
【考案を実施するための形態】
【００１０】
靴紐の締結や解除を簡単に行い、使用中に緩まないという目的を、小形のクリートを靴に装着しこれを用いることで解決した。
【実施例】
【００１１】
図1は、本考案装置の見取り図であって、1は靴本体の靴紐部分、2はクリート、3は靴紐を示す。クリート2は基本形状を示しており、形状を少し変えてもよい。
【００１２】
図２にクリート部分の拡大を示す。２本の靴紐3を、クリートの穴2aを通し、八の字結びなどでクリートにかける。これで靴紐は固定される。またはクリートの穴2aを通さず、クリート根元に巻き付けてから、八の字結びなどにしてもよい。
【００１３】
靴紐を解除するときは、A部分の靴紐をクリートから外に抜き出し、次にB部分もクリートから外に抜き出せば簡単に解除できる。
【産業上の利用可能性】
【００１４】
靴紐を備えた全ての靴に利用できる。特に運動選手の靴には、より適合する。
【符号の説明】
【００１５】
1  靴本体
2  靴紐
2a  クリートの穴
3  クリート
【図１】
0003193232.tif 000003
【図２】
0003193232.tif 000004
【手続補正書】
【提出日】平成26年7月24日(2014.7.24)
【手続補正１】
【補正対象書類名】実用新案登録請求の範囲
【補正対象項目名】全文
【補正方法】変更
【補正の内容】
【実用新案登録請求の範囲】
【請求項１】
靴紐を持つ靴の一部に取り付けられたクリート形状のものに、靴紐をかけて固定することを特徴とする靴紐締結具。
【請求項２】
請求項１記載の靴紐締結具を備えた靴。
(57)【要約】      （修正有）【課題】運転者の意志を、確実・明確に表示可能な事故防止機能付自転車を提供する。【解決手段】ハンドル前部の左右に１つづつ設置された右、左折方向指示灯と、後部車輪上部の左右に１つづつ設置された停止ブレーキ表示灯とを備え、前輪に転倒防止兼、盗難防止金具を更に備えた事を特徴とする。【選択図】図１
0003193474.tif 000002
【実用新案登録請求の範囲】
【請求項１】
右、左折方向指示灯（点滅）（ハンドル前部、左右各１ケ）（白色光）停止ブレーキ表示灯（点灯）（后部車輪上部左右１ケ）（赤色反射板前照灯（点灯）（方向指示兼用）
【請求項２】
転倒防止、兼  盗難防止金具付
【請求項３】
【考案の詳細な説明】
【考案の詳細な説明】
【】
既に自転車は大人から小供迄で、必要不可決な交通手段として、通勤、通学、レジャー等と、広く活用されて居ります。従がって他の交通機関と、相接触する機会が増大し
【産業上の利用分野】
近頃では歩行者や、自動とのトラブルが多発し、社会問題化して居ります、又近頃では自動車と並行走行が義務化され、その危険性が益々増大して来て居ます。
【】
【背景技術】之は自転車の走行安全機能が自動車と同じ様な機能が要求されて居ります。今迄は自己主張型、周囲無配慮形構造です。
【】
【考案が解決しようとする課題点】
自動車と同じ様に最低限、方向指示、ブレーキ表示、照明等を設けて、運転者の意志を明確に表示出来る機構に変える事が早々に必要な事と思われます。自分を守り他人を守る。安全運転、自己防止が必要です。
【】
【課題を解決するための手段】
之等を開発する爲めに、全での自転車に運転車の意志表示を可能にする方法を、取り附ける事。又周囲の注意を喚起して事故の防止につとめる。先ず、方向指示機構（点滅）前面后面、左右に２ケ（ハンドル握り部を回転させる。照明              （点灯）前面、左右各１ケ（照明灯と兼用）ブレーキ          （レバー）后輪に強力型ブレーキ装置を１ケ設けるバックミラー      （      ）前方ハンドルに左右各１ケ取付ける）警報ベル          （      ）ハンドルにレバーを取付け、レバーを引張る事でベルが鳴る転倒防止金具      （      ）駐車時風に依る転倒を防ぐ前輪を固定する盗難防止錠        （転防併用）転倒防止金具に組込んで錠を附ける電源装置          （発電）ハブタイナモによる                  （バッテリー）二次電池に蓄電し、点燈用電源として、活用する。又、ダイナモ不使用の場合には二次電池を使用する。
【作用】
交通安全、事故防止に効果大、転倒防止、盗難防止等に効果有り。
【実施例】ナシ
【考案の効果】
交通事故の減少安心、安全運転
【図面の簡単な説明】
【図１】正面図に全体の取合を表し、前面に照明灯（右左各１個）後面に方向指示、ブレーキ兼用（赤色反射板）を設け、ハンドルに各操作切換部を配した全体象を表わす。
【図２】転倒防止の止めの金具（駐車時風圧に依る転倒を防ぐ爲め又盗難防止の爲め前車輪の回転を止める爲めの施錠金具を取附ける。
【図１】
0003193474.tif 000003
【図２】
0003193474.tif 000004
【手続補正書】
【提出日】平成26年7月15日(2014.7.15)
【手続補正１】
【補正対象書類名】実用新案登録請求の範囲
【補正対象項目名】全文
【補正方法】変更
【補正の内容】
【実用新案登録請求の範囲】
【請求項１】
ハンドル前部の左右に１つづつ設置された右、左折方向指示灯と、後部車輪上部の左右に１つづつ設置された停止ブレーキ表示灯とを備えた事を特徴とする、事故防止機能付自転車。
【請求項２】
前輪に転倒防止兼、盗難防止金具を更に備えた事を特徴とする、請求項１に記載の事故防止機能付自転車。
(57)【要約】      （修正有）【課題】タクシー車内への香りの発散のタイミングを乗客の乗車に合わせ、又その乗客に適した香りのタクシー客別芳香器を提供する。【解決手段】芳香器の胴部には３個、４個、５個又は６個の小室があり、それらに芳香剤を入れ、下部には電気で稼動する回転翼があり、その回転翼によって空気が小室を通過して、上ふたのスリットを通ることを特徴とするタクシー客別芳香器。【選択図】図１
0003193476.tif 000002
【実用新案登録請求の範囲】
【請求項１】
芳香器の胴部には３個、４個、５個又は６個の小室があり、それらに芳香剤を入れ、下部には電気で稼動する回転翼があり、その回転翼によって空気が小室を通過して、上ふたのスリットを通ることを特徴とするタクシー客別芳香器。
【請求項２】
本芳香器をタクシー車内に設置する工程、
客の年齢層及び性別などで芳香剤を選択する工程、
回転翼を稼動及び停止する工程があることを特徴とする請求項１記載のタクシー客別芳香器。
【考案の詳細な説明】
【考案の詳細な説明】
【技術分野】
【０００１】本考案は、タクシーの車内の芳香に関するものである。
【背景技術】
【０００２】一般にタクシー車内への香りの供給は、香料成分の噴霧又は芳香剤の常時設置が通常である。【０００３】タクシー車内への香りの供給は、実用新案文献：実用新案公開平０７−００９６１２、実用新案公開平０７−００１９４３、実用新案公開平０６−０２６８８５、実用新案公開平０６−０００４４７などにみられるように、１種類の香りの供給が通常である。【０００４】タクシー車内への香りの供給は、乗客の年齢及び性別に無差別であるのが通常である。【０００５】本考案は、タクシーに限定するものでなく、一般に車載として適用できる。
【先行技術文献】
【実用新案文献】
【０００６】
【実用新案文献】
実用新案公開平０７−００９６１２
【実用新案文献】
実用新案公開平０７−００１９４３
【実用新案文献】
実用新案公開平０６−０２６８８５
【実用新案文献】
実用新案公開平０６−０００４４７
【考案の概要】
【考案が解決しようとする課題】
【０００７】解決しようとする問題点は、タクシー車内への香りの発散のタイミングを乗客の乗車に合わせ、又その乗客に適した香りを提供する点である。
【課題を解決するための手段】
【０００８】本考案は、タクシー車内への香り発散の開始を、客の乗車のときとすることを特徴とする。【０００９】更に、タクシー車内への香りの種類は、乗客を区別及び対応して選択されることを特徴とする。
【考案の効果】
【００１０】本考案で乗客のみならずドライバーも快適性を享受でき、安全運行にもつながるという利点がある。
【図面の簡単な説明】
【００１１】
【図１】は、本考案に使用する器具の例図であり、容器の胴部にある芳香剤を入れる小室は３〜６個で、本器具の基材はメタル又は合成樹脂である。
【考案を実施するための形態】
【００１２】タクシードライバーが活用するために、簡単な器具で、容易に使用できるようにして実現した。
【実施例１】
【００１３】実施例１では、図１に示される容器の胴部には４個の小室があり、ラベンダー香料、グレープフルーツ香料、ローズ香料、ペパーミント香料を別々に含む固形芳香剤が別々に小室に入れてある。【００１４】タクシーに中年男性客が乗車してきた時、図１に示される上ふたのスリットをラベンダー香料に合わせ、回転翼を始動させた。【００１５】タクシー車内にラベンダーの香りが飛散された。【００１６】乗客はリラックスした気分を感じた。
【実施例２】
【００１７】実施例２では、図１に示される容器の胴部には６個の小室があり、ラベンダー香料、グレープフルーツ香料、ローズ香料、ペパーミント香料、ローズマリー香料、レモン香料を別々に含む固形芳香剤が別々に小室に入れてある。【００１８】タクシーに若年女性客が乗車してきた時、図１に示される上ふたのスリットをローズ香料に合わせ、回転翼を始動させた。【００１９】タクシー車内にローズの香りが飛散された。【００２０】乗客は優雅な気分を感じた。
【産業上の利用可能性】
【００２１】本考案のタクシー客別芳香器は、乗客の年齢及び性別に対応して、適切な芳香を車内に飛散でき、乗客の気分を良くするものである。
【図の説明】
【００２２】器具の胴部に小室が３〜６個ある。
小室には芳香剤を入れる。
下部の回転翼は電動であり、これにより生じる空気の流れは小室を通過して、上ふたのスリットに通じる。
器具を稼動させないときは、回転翼を停止してスリットを閉じておく。
【図１】
0003193476.tif 000003
【手続補正書】
【提出日】平成26年7月17日(2014.7.17)
【手続補正１】
【補正対象書類名】実用新案登録請求の範囲
【補正対象項目名】全文
【補正方法】変更
【補正の内容】
【実用新案登録請求の範囲】
【請求項１】
芳香器の胴部には３個、４個、５個又は６個の小室があり、それらに芳香剤を入れ、下部には電気で稼動する回転翼があり、その回転翼によって空気が小室を通過して、上ふたのスリットを通ることを特徴とするタクシー客別芳香器。
【請求項２】
本芳香器をタクシー車内に設置する工程、
客の年齢層及び性別などで芳香剤を選択する工程、
回転翼を稼動及び停止する工程があることを特徴とする請求項１記載のタクシー客別芳香器。
(57)【要約】      （修正有）【課題】観察対象の方を向きながら、大口径でも軽く安く、また肩に載せることによって手ぶれを少なくでき、三脚等が無くても高倍率で観察可能な反射式双眼鏡を提供する。【解決手段】アミチプリズムまたは、アミチミラーを用いる２つの反射式望遠鏡２１を、光軸に平行に連結本体２２で固定して、２つの光学系の間に観察者１０が入り、接眼レンズを固定した接眼部３１を覗きながら、双眼鏡本体を観察者の肩に載せて観察できるように構成した。【選択図】図５
0003193478.tif 000002
【実用新案登録請求の範囲】
【請求項１】
アミチプリズムまたは、アミチミラーを用いる反射式双眼鏡に於いて、２つの光学系の間に観察者が入り、接眼レンズを覗きながら、双眼鏡本体を観察者の肩に載せられるように配置する。
【請求項２】
請求項１の反射式双眼鏡に於いて、双眼鏡本体に対して２つの反射式望遠鏡をネジ等により浮かせて、２つの反射式望遠鏡の光軸を合わせられるようにするとともに、反射式望遠鏡を各々の光軸に対して回転できるようにすることにより眼幅調整を行い、またネジ等の調整により、接眼レンズの光軸高さを調整できるようにし、左右の反射式望遠鏡の間隔も調整できるようにする。
【考案の詳細な説明】
【技術分野】
【０００１】本発明は双眼鏡装置に関する
【背景技術】
【０００２】遠方の風景や建物等の観察対象を拡大してみる場合には、一般に双眼鏡などが用いられる。双眼鏡は左右の観察光学系で構成されており、左右の光学系は人の目に対応するため、一定の間隔以内に光束を持ってこなければならない。反射式の場合この光学系が難しいため、主に大口径の双眼鏡は屈折式が用いられていた。
【先行技術文献】
【特許文献】
【０００３】
【特許文献１】特許公開平６−１７５０３９
【考案の概要】
【考案が解決しようとする課題】
【０００４】従来、大口径の双眼鏡は屈折式が多く、反射式は少なかった。このため高価であった。これは、反射式が光学系の問題から人の目の間隔に光路を持ってくるのが難しいためであった。【０００５】屈折式は大口径になると重くなり手ぶれの危険性が大きくなるため、手持ちは困難で三脚等に固定しなければならなかった。【０００６】また、大口径の双眼鏡は三脚等に固定しないと手ぶれが大きくて実用に耐えなかった。
【課題を解決するための手段】
【０００７】上記目的を達成するために、最も簡単なニュートン式反射望遠鏡を採用し、アミチプリズム、または、アミチミラーを用いた反射式望遠鏡２台を並べて、双眼鏡を構成し、双眼鏡本体後部を肩に載せる。
【考案の効果】
【０００８】本校案によれば、反射式を採用しアミチプリズムを使用することにより、観察対象の方を向きながら、大口径でも軽く安く、また、肩に載せることによって、手ぶれを少なくでき、三脚等が無くても高倍率で観察可能となる。
【図面の簡単な説明】
【０００９】
【図１】反射式望遠鏡の３面図である。
【図２】反射式望遠鏡の断面図である
【図３】反射式望遠鏡の斜視図である
【図４】図４は図１の反射式望遠鏡を２つ並べて双眼鏡にした物の三面図である。
【図５】図５は図４の斜視図である。
【図６】図６は図１の反射式望遠鏡を２つ並べて双眼鏡にし、連結本体を反射式望遠鏡から分離した物の斜視図である。
【図７】図７は図６の三面図である。
【考案を実施するための形態】
【００１０】アミチプリズムを用いた反射式望遠鏡２台の間に接眼レンズを配置し、双眼鏡となす。
【実施例】
【００１１】図１、図２、図３に於いて
１１は鏡筒本体で光学系を保持する。
１２は入射した光束を集光する主鏡である。
１３は主鏡１２を鏡筒本体１１に固定する部材である。
１４は斜鏡であり、１５の斜鏡金具により、鏡筒本体１１に固定されている。
１４の斜鏡は、主鏡１２の光線を鏡筒本体１１の外側に曲げる。
１６はアミチプリズムであり入射光線を後方へと曲げるとともに、図に於いて前後を逆転させる。
１７は接眼レンズであり、主鏡１１の造る像を拡大して、観察できるようにする。
この構成により、接眼レンズ１７の後方では正立正像が観察できるようになり、観察対象の方向を見ながら拡大して観察できる。【００１２】図４、図５に於いて、１０は観察者である。接眼部３１は２本の反射式望遠鏡２１を結ぶ水平線３２に対して、角度３３だけ傾いている。また、接眼部３１は観察者１０の眼幅に合わせてある。この角度３３は反射式望遠鏡２１の直径により、また、観察者１０の眼の位置と肩の高さにより変わる。【００１３】観察者１０は２つの反射式望遠鏡２１の間に入り接眼部３１を覗く。反射式望遠鏡２１の後方は観察者１０の肩に乗るようになっている。【００１４】図６、図７に於いて、反射式望遠鏡２１を連結本体２２に対して浮かせれば調整ネジ２３により２本の反射式望遠鏡２１の光軸を調整することが出来る。さらに反射式望遠鏡２１の光軸間隔を調整できる。【００１５】鏡筒本体１１を回転させれば眼幅を調整できる。これらの組み合わせにより、観察者の眼の位置と肩の高さに合わせることが出来る。
【産業上の利用可能性】
【００１６】本発明によれば、大口径の双眼鏡を軽く構成できるとともに、手ぶれを少なくできる。
また、通常、レンズより、反射鏡の方が安いので、安価な大口径双眼鏡が提供できる。
【符号の説明】
【００１７】１０  観察者
１１  光学系を保持する本体
１２  入射光束を集光する主鏡
１３  主鏡１２を本体１１に固定する部材
１４  主鏡１２からの光束を本体１１の外に曲げる斜鏡
１５  斜鏡１４を本体に固定する金具
１６  斜鏡１４からの光束を主鏡方向に曲げるとともに光束を上下または左右に反転させるアミチプリズム、またはアミチミラー
１７  主鏡１２によりできた像を拡大して観察できるようにした接眼レンズ
２２  ２本の反射式望遠鏡２１を繋ぐ連結本体
２３  調整用ネジ
３１  接眼レンズ１７を固定した接眼部
【図１】
0003193478.tif 000003
【図２】
0003193478.tif 000004
【図３】
0003193478.tif 000005
【図４】
0003193478.tif 000006
【図５】
0003193478.tif 000007
【図６】
0003193478.tif 000008
【図７】
0003193478.tif 000009
【手続補正書】
【提出日】平成26年7月16日(2014.7.16)
【手続補正１】
【補正対象書類名】実用新案登録請求の範囲
【補正対象項目名】全文
【補正方法】変更
【補正の内容】
【実用新案登録請求の範囲】
【請求項１】
アミチプリズムまたは、アミチミラーを用いる反射式望遠鏡を、光軸に平行に２つ用いて、２つの光学系の間に観察者が入り、接眼レンズを覗きながら、双眼鏡本体を観察者の肩に載せられるように配置した反射式双眼鏡。
【請求項２】
請求項１に於いて、左右の反射式望遠鏡の接眼部を水平よりも傾けて配置することにより望遠鏡本体の後部を観察者の肩に載せながら観察者の視線方向に光軸が向く反射式双眼鏡。
(57)【要約】      （修正有）【課題】安価な素材で作って、便器掃除後、全体を丸ごと捨てられる便器掃除用具を提供する。【解決手段】便器掃除用具の柄１と、その先に付けるブラシ２、または多孔質体を、安価な素材で作り構成し、便器掃除後、丸ごとゴミ箱に捨てられる様にする。便器掃除用具の先には、便器にこびり付いた汚れを掻き落とす為のヘラ４をつける。【選択図】図３
0003193473.tif 000002
【実用新案登録請求の範囲】
【請求項１】
安価な素材の長さ１５ｃｍ〜３５ｃｍの柄に、安価な素材のブラシを付け、便器掃除後全体を丸ごと捨てられる様にした、便器掃除用具。
【請求項２】
安価な素材の長さ１５ｃｍ〜３５ｃｍの柄に、安価な素材のスポンジまたは不織布または織布などから成る多孔質体を付け、便器掃除後、全体を丸ごと捨てられる様にした、便器掃除用具。
【請求項３】
ブラシまたは多孔質体の前方に、便器にこびり付いた汚れを掻き落とす為のヘラを付けた事を特徴とする、請求項１または請求項２の便器掃除用具。
【請求項４】
安価な素材の長さ１５ｃｍ〜３５ｃｍの柄の先端を、安価な素材のスポンジ、又は不織布、又は織布などから成る多孔質体で包み込んで固定し、便器掃除後、全体を丸ごと捨てられる様にした、便器掃除用具。
【考案の詳細な説明】
【技術分野】
【０００１】  本考案は、便器用使い捨て掃除用具に関するものである。
【背景技術】
【０００２】  便器掃除用具は、便器掃除後、洗っても不潔なので、乾燥の為に吊るして保管したり、他者から見えない様に覆いをかけていた。
また、これまで便器に触れる先端のスポンジや、不織布、織布などの多孔質体部分だけ（以下、多孔質体とする）、またはブラシ部分だけ、使い捨てにできる製品はあったが、柄の部分は使い捨てではなく、柄だけ洗って保管する手間がかかった。
【考案の概要】
【考案が解決しようとする課題】
【０００３】  便器掃除用具は、便器掃除後、洗って乾かしても、不潔であるし、便器掃除後に全体を丸ごと捨てられる便器掃除用具は無かった。
【課題を解決するための手段】
【０００４】  本考案は、合成樹脂等、安価な素材で便器掃除用具全体を作る事で、丸ごと使い捨てられる様にし、便器掃除後の不潔な便器掃除用具を保管する手間を無くす事で、問題を解決している。
【考案の効果】
【０００５】  上述の様に、本考案の安価な素材で作った便器掃除用具は、便器掃除後に全体を丸ごとゴミ箱に捨ててしまえるので、保管の手間がかからない。
【図面の簡単な説明】
【０００６】
【図１】本考案の柄の先にブラシを付けた、便器掃除用具の斜視図である。
【図２】本考案の柄の先に多孔質体を付けた、便器掃除用具の斜視図である。
【図３】本考案の便器掃除用具の先端に、便器にこびり付いた汚れを掻き落とす為のヘラをつけた便器掃除用具の斜視図である。
【図４】本考案の柄の先を多孔質体で包み込んで固定し、上下左右前の面で汚れを掃除できる様にした便器掃除用具の斜視図である。
【考案を実施するための形態】
【０００７】  柄の先にブラシ、あるいは多孔質体を付ける。
柄とブラシまたは多孔質体は、安価な素材で作る。
便器掃除用具の前方には、便器にこびり付いた汚れを掻き落とす為のヘラをつける。
【実施例】
【０００８】  以下、添付図面に従って実施例を説明する。１は防水性の合成樹脂等、適宜素材で一体形成した長さ１５ｃｍ〜３５ｃｍの柄、２はブラシ、３は多孔質体、４は便器にこびり付いた汚れを掻き落とす為のヘラ。
全て安価な素材で作る。
【符号の説明】
【００１０】    １  柄
２  ブラシ
３  多孔質体
４  便器にこびり付いた汚れを掻き落とす為のヘラ
【図１】
0003193473.tif 000003
【図２】
0003193473.tif 000004
【図３】
0003193473.tif 000005
【図４】
0003193473.tif 000006
【手続補正書】
【提出日】平成26年3月13日(2014.3.13)
【手続補正１】
【補正対象書類名】実用新案登録請求の範囲
【補正対象項目名】全文
【補正方法】変更
【補正の内容】
【実用新案登録請求の範囲】
【請求項１】
合成樹脂等、安価な素材の長さ１５ｃｍ〜３５ｃｍの柄に、合成樹脂等、安価な素材のブラシを付け、便器掃除後、全体を丸ごと捨てられる様にした、便器掃除用具。
【請求項２】
合成樹脂等、安価な素材の長さ１５ｃｍ〜３５ｃｍの柄に、合成樹脂等、安価な素材のスポンジまたは不織布または織布などから成る多孔質体を付け、便器掃除後、全体を丸ごと捨てられる様にした、便器掃除用具。
【請求項３】
ブラシまたは多孔質体の前方に、便器にこびり付いた汚れを掻き落とす為のヘラを付けた事を特徴とする、請求項１または請求項２の便器掃除用具。
【請求項４】
合成樹脂等、安価な素材の長さ１５ｃｍ〜３５ｃｍの柄の先端を、合成樹脂等、安価な素材のスポンジ、又は不織布、又は織布などから成る多孔質体で包み込んで固定し、便器掃除後、全体を丸ごと捨てられる様にした、便器掃除用具。
【手続補正書】
【提出日】平成26年7月18日(2014.7.18)
【手続補正１】
【補正対象書類名】実用新案登録請求の範囲
【補正対象項目名】全文
【補正方法】変更
【補正の内容】
【実用新案登録請求の範囲】
【請求項１】
合成樹脂製の長さ１５ｃｍ〜３５ｃｍの柄に、合成樹脂製のブラシを付けて、便器掃除後、全体を丸ごと捨てられる様にした、便器掃除用具。
【請求項２】
合成樹脂製の長さ１５ｃｍ〜３５ｃｍの柄に、合成樹脂製のスポンジまたは不織布または織布などから成る多孔質体を付け、便器掃除後、全体を丸ごと捨てられる様にした、便器掃除用具。
【請求項３】
ブラシまたは多孔質体の前方に、便器にこびり付いた汚れを掻き落とす為のヘラを付けた事を特徴とする、請求項１または請求項２の便器掃除用具
【請求項４】
合成樹脂製の長さ１５ｃｍ〜３５ｃｍの柄の先端を、合成樹脂製のスポンジ、又は不織布、又は織布などから成る多孔質体で包み込んで固定し、便器掃除後、全体を丸ごと捨てられる様にした、便器掃除用具。
(57)【要約】      （修正有）【課題】大勢が一度に魚釣りあそびを楽しむことができる立体型組替え魚つりで使用するための模型魚を提供する。【解決手段】魚体下部に取付け固定してあるダボ（＋）２長サ３０ミリ太サ８ミリを魚座上部穴キャップ（−）くぼみ高サ３５ミリ穴径９ミリに差し込むことで１組となり、名魚と魚座の組替がいろいろと可能なことを特徴とする。【選択図】図１
0003193472.tif 000002
【実用新案登録請求の範囲】
【請求項１】
魚座裏面に同数字、絵各２組添付されているので釣った中から数字、絵合せあそびが出来、又魚と魚座が取り外し組替え可能なため何時でも新鮮であきない釣りあそびが出来るのである。
【考案の詳細な説明】
【技術分野】
【０００１】本考案はプールで多数の魚を並べて釣りをするのである
【背景技術】
【０００２】老人や幼児がたのしく釣りあそびが出来る
【考案を解決しようとする課題】
【０００３】老人ホーム、幼稚園、保育園等１プールで多数（９人以上）が一度に釣りあそびが出来るのである
【課題を解決するための手段】
【０００４】魚本体腹部下にダボ（プラス）を取付け魚座上部のキャップ（マイナス）を結合させる。
【図面の簡単な説明】
【０００５】
【図１】本考案の魚腹部下のダボ（プラス）正面図である
【図２】魚座上部キャップ（マイナス）の正面図である
【図３】魚座の裏面図である
【考案を実施するための形態】
【０００６】模型の魚が立体位置なので生きてる魚の様に釣りが出来、十分な満足感がある
【実施例】
【０００７】以下添付図面に従って説明する
多数（３０匹〜４０匹）の模型魚がプール内で立体位置になっており一度で大勢（９人以上）の老人や幼児が集ってみんな仲良く、お互に楽しく満足出来る釣りあそびである
【符号の説明】
【０００８】１  魚本体
２  ダボ（プラス）
３  魚座
４  キャップ（マイナス）
５  魚座裏面
６  数字と絵
【図１】
0003193472.tif 000003
【図２】
0003193472.tif 000004
【図３】
0003193472.tif 000005
【手続補正書】
【提出日】平成26年2月12日(2014.2.12)
【手続補正１】
【補正対象書類名】実用新案登録請求の範囲
【補正対象項目名】全文
【補正方法】変更
【補正の内容】
【実用新案登録請求の範囲】
【請求項１】
魚下部のダボ（＋）を魚座上部穴キャップ（−）に差込み１セットとし、魚の立体位置が定まり、魚の口先に小リングが取りつけてあり、長さ７０センチの危険のないつり竿で競技し、釣ったあとは魚座裏面に数字や絵が添付されているので、その中から数字や絵合せ競技が出来、又魚と魚座のいろいろな組替えで、何時も新鮮な競技が発生し、魚はフエルト製品で大きさは３０センチプール枠は大きさ１メートル６０センチの正方形深さは３０センチあたかも海で魚が泳いでる様な光景で老人から幼児まで喜こばれ大勢（１２人以上）で一藷に楽しく魚つり競技が満足可能な特徴ある立体型組替え魚つりである
【手続補正書】
【提出日】平成26年5月7日(2014.5.7)
【手続補正１】
【補正対象書類名】実用新案登録請求の範囲
【補正対象項目名】全文
【補正方法】変更
【補正の内容】
【実用新案登録請求の範囲】
【請求項１】
魚体下部にとりつけてあるダボ（＋）に魚座上部穴キャップ（−）に差し込むことによって１体となり魚が倒れずに立体位置になるのが特徴で、それによって、長さ７０センチ竿の先つり糸５０センチ先端に鍵形フックがつけてあり、魚の方は口先に１５ミリ丸カンリングが固定されていて、それによって釣りが出来、釣ったあとは魚座裏面に数字や絵が添されていて、いろいろと他種魚  マグロ、タイ、ヒラメ、カレイ等の３０匹の組替え出来、何時も新鮮で、つり競技が可能であり、魚はフエルト製品で大きさは３０センチ  プール枠は１メートル６０センチの正方形、深さは３０センチ  パイプの太さは３０ミリで組立式、プールシートはターポリン防炎地  色はブルー、１面で３名つり可能なので４面１２名が１度につり競技あそびが出来る。
各魚が立体位置なので海で釣りをしてる様で幼児から老人、身障者方の良きつり競技となり集中力や、お互いが健全に楽しく過す事の出来る立体型組替魚つりで使用するための模型魚であります。
【手続補正書】
【提出日】平成26年7月14日(2014.7.14)
【手続補正１】
【補正対象書類名】実用新案登録請求の範囲
【補正対象項目名】全文
【補正方法】変更
【補正の内容】
【実用新案登録請求の範囲】
【請求項１】
魚体下部に取付け固定してあるダボ（＋）長サ３０ミリ太サ８ミリに魚座上部穴キャップ（−）くぼみ高サ３５ミリ穴径９ミリに差し込むことで１組となり、名魚と魚座の組替がいろいろと可能な立体型組替え魚つりで使用するための模型魚
(57)【要約】      （修正有）【課題】無落雪屋根に傾斜をつけて、屋根の中央部に雪を集めて、これを排熱による温風で融雪して流水することによって、雪下ろしによる危険と労力等をなくした雪下ろしゼロシステムを提供する。【解決手段】（１）無落雪屋根１を中央部に向け傾斜させ、その底部に熱伝導率の高いステンレス製で温風を通す流通管７，１０と一体化した横樋３を設置し、この横樋の下部には、断熱材８を敷設して保温処置、（２）床暖房及び給湯ボイラー４等の排熱を熱交換機５で温風化、（３）温風は、熱交換機と横樋の流通管を循環、上記（１）（２）（３）から構成されることを特徴とする。【選択図】図１
0003193487.tif 000002
【実用新案登録請求の範囲】
【請求項１】
（１）無落雪屋根を中央部に向け傾斜させ、その底部に熱伝導率の高いステンレス製で温風を通す流通管と一体化した横樋を設置。この横樋の下部には、断熱材を敷設して保温処置。
（２）床暖房及び給湯ボイラー等の排熱を熱交換機で温風化。
（３）温風は、熱交換機と横樋の流通管を循環。
上記（１）（２）（３）から構成されることを特徴とする排熱融雪による雪下ろしゼロシステム。
【考案の詳細な説明】
【技術分野】
【０００１】排熱利用の省エネ融雪システムに関する。
【背景技術】
【０００２】雪国特に豪雪地帯では、毎年、雪下ろし作業や屋根からの落雪による死傷事故が多発しているほか、雪下ろしや除排雪に要する経費も莫大である。
また、これまでの無落雪屋根における融雪は、その熱源のほとんどは、電気であるため、費用がかさんでいる。
こうした事故防止や経費削減を図るため、屋根で無落雪のまま融雪する。
【考案の開示】
【考案が解決しようとする課題】
【０００３】無落雪屋根に傾斜をつけて、屋根の中央部に雪を集めて、これを排熱による温風で融雪して流水することによって、雪下ろしによる危険と労力等をなくする。
【課題を解決するための手段】
【０００４】本考案は、（１）無落雪屋根の中央部に向けて、積雪が屋根の中央部に滑り落ちるようにする。（２）屋根の中央部には、熱伝導率の高いステンレス製の横樋を敷設するほか、その横樋と一体化した流通管を通して、温風を循環させる。なお、横樋の下部を断熱材で保温処置を講じる。（３）床暖房や給湯ボイラー等からの排熱を熱交換機で温風化するが、この熱交換機には、円筒の中に、更に四層から排熱滞留タンクをつくり、熱交換機内で排熱の効率化を図って、空気を高温にすることができる。これら（１）（２）（３）から構成される雪下ろしのない無落雪屋根の省エネ融雪システムである。
【考案の効果】
【０００５】排熱で無落雪屋根の融雪が容易であることから、雪下ろしが不要になり、雪下ろしに伴う事故や費用の心配がなくなるほか、排熱利用のため融雪に要する費用もゼロに等しい。
また、熱交換機内の排熱と空気との接面を多くしていることから、空気の高温化を図り、融雪を容易にしている。
更に、横樋に付随する温風流通管の下部に断熱材を敷設することによって、下方への熱伝導を遮断し、効率的な排熱利用が図られている。
【考案を実施するための最良の形態】
【０００６】本考案を実施例にて説明する。
【実施例】
【０００７】図１は、表側の側面図で、傾斜屋根（１）の中央部に屋根と同じ長さで熱伝導の高いステンレス製の横樋（３）を敷設するが、この横樋は、温風の流通管と一体化したもので、しかも、その下部を断熱材（８）で覆う。
ボイラー（４）の排熱は、熱交換機（５）で温風化して、横樋の流通管（７）及び（１０）を通り、フアンモーター（９）を経て、再び熱交換機（５）へ循環する仕組みである。
なお、ボイラー（４）及び熱交換機（５）は、室内に設置する。【０００８】図２は、裏側の側面図で、横樋での融雪水は、流水管（１１）から流出される。
温風は、屋内（天井裏）の流通管（１０）から熱交換機に戻って循環する。
【図面の簡単な説明】
【０００９】
【図１】図１は、表側の屋外及び屋内の排熱利用による無落雪屋根の融雪システムの全体図。
【図２】図２は、裏側の排熱利用による無落雪屋根の融雪システムの側面図。
【図３】図３は、ボイラーからの排熱を有効活用するための熱交換機の断面図。
【符号の説明】
【００１０】１、  屋根
２、  積雪
３、  横樋
４、  ボイラー
５、  熱交換機
６、  排気口
７，１０  温風流通管
８、  断熱材
９，  フアンモーター
１１，流水管
１２，排熱の滞留タンク
【図１】
0003193487.tif 000003
【図２】
0003193487.tif 000004
【図３】
0003193487.tif 000005
【手続補正書】
【提出日】平成26年7月14日(2014.7.14)
【手続補正１】
【補正対象書類名】実用新案登録請求の範囲
【補正対象項目名】全文
【補正方法】変更
【補正の内容】
【実用新案登録請求の範囲】
【請求項１】
（１）無落雪屋根を中央部に向け傾斜させ、その底部に熱伝導率の高いステンレス製で温風を通す流通管と一体化した横樋を設置し、この横樋の下部には、断熱材を敷設して保温処置、
（２）床暖房及び給湯ボイラー等の排熱を熱交換機で温風化、
（３）温風は、熱交換機と横樋の流通管を循環、
上記（１）（２）（３）から構成されることを特徴とする排熱融雪による雪下ろしゼロシステム。
(57)【要約】      （修正有）【課題】つけ爪を施した自爪が伸び、自爪根元とつけ爪にできた隙間を美しく可愛く装飾しネイルアートの期間を延長することができる隙間用ネイル装飾品を提供する。【解決手段】つけ爪１を施した爪が伸びてできた隙間サイズにカットされた両面粘着シートの片側に装飾品２を貼り付けたものである。装飾品はＰＥＴ基材層を主成分とした粘着シートを用いる事を特徴とし、また、粘着シートの上にラインストーンを使うことを特徴とする。【選択図】図１
0003193485.tif 000002
【実用新案登録請求の範囲】
【請求項１】
つけ爪を施した爪が伸びてできた隙間を埋める粘着性を持った隙間用ネイル装飾品
【請求項２】
前記装飾品はＰＥＴ基材層を主成分とした粘着シートを用いる事を特徴とする請求項１の隙間用ネイル装飾品
【請求項３】
前記装飾品はＰＥＴ基材層を主成分とした粘着シートの上にラインストーンを使うことを特徴とする請求項１の隙間用ネイル装飾品
【考案の詳細な説明】
【技術分野】
【０００１】本考案はつけ爪と爪根本の間を装飾するための装飾具に関する。
【技術背景】
【０００２】従来、指や足の爪に装飾を施す事が行われている。
例えば印刷したシール、装飾用宝石等
【先行技術文献】
【特許文献】
【考案の概要】
【考案が解決しようとする課題】
【０００３】本考案は、つけ爪を施した自爪が伸び、つけ爪と爪根本にできた隙間を美しく可愛く装飾しネイルアートの寿命を延長する
【議題を解決するための手段】
【０００４】本考案は、小型の装飾具を隙間に並べる事で誰でも簡単につけ爪と爪根本の隙間を美しく改善することができる。
【考案の効果】
【０００５】  本考案のネイル隙間用装飾具を使うことで、爪の根元を装飾する事ができる。
【図面の簡単な説明】
【図１】本考案にかかわる装飾具の取り付け位置の詳細をしるしたものである。
【図２】本考案にかかわる隙間用装飾具を粘着シートに並べ離形フィルムの上に並べたものである。
【考案を実施するための形態】
【０００６】図１で示すように爪が伸びてきた際につけ爪と爪根本にできる隙間に取り付ける装飾具である。
【符号の説明】
【０００７】  ▲１▼  つけ爪
▲２▼  装飾具
▲３▼  粘着層
▲４▼  装飾具
▲５▼  粘着賞
▲６▼  離形フィルム
【図１】
0003193485.tif 000003
【図２】
0003193485.tif 000004
【手続補正書】
【提出日】平成26年7月22日(2014.7.22)
【手続補正１】
【補正対象書類名】実用新案登録請求の範囲
【補正対象項目名】全文
【補正方法】変更
【補正の内容】
【実用新案登録請求の範囲】
【請求項１】
つけ爪を施した爪が伸びてできた隙間サイズにカットされた両面粘着シートの片側に装飾品を貼り付けた隙間用ネイル装飾品
【請求項２】
前記装飾品はＰＥＴ基材層を主成分とした粘着シートを用いる事を特徴とする請求項１の隙間用ネイル装飾品
【請求項３】
前記装飾品はＰＥＴ基材層を主成分とした粘着シートの上にラインストーンを使うことを特徴とする請求項１の隙間用ネイル装飾品
(57)【要約】      （修正有）【課題】夏ならびに冬の時期に応じて、脱衣所の敷台、玄関口の敷台、勝手台所の昇降台等々、個人の生活行動と共に場所を取り替えて使用することが可能である冷温感床材を提供する。【解決手段】片面を畳１の面とし、もう片面を丸面加工形状構造２の面とする冷温感床材３である。畳１及び丸面加工形状構造２の面の外周を覆う枠と、枠及び冷温感床材３の下に設けられ中央がくりぬかれた台と、台の長辺の中央から対向する長辺の中央に設けた梁と、台の４隅の下に設けた脚からなる土台を有する。夏は畳１の面を表面に出し、冬は丸面加工形状構造２の面を表面に出すことにより、夏は冷感を感じ、冬は温感を感ずることが可能となる。又丸面加工の高さ、幅を変える事により足裏に感じる冷触感が変化することにより、老齢者の転倒防止対策となる。【選択図】図２
0003193489.tif 000002
【実用新案登録請求の範囲】
【請求項１】
冷感のある畳および温感の丸面加工形状構造を両面に持つ床材で構成されており、土台などへの取り付けが可能である構造を有し、人体との接触は、夏には冷感のある畳を、冬には温感のある丸面加工形状構造を人体との接触面に使用すると、季節に応じた快適な冷温感が期待でき、床材そのもの、又は土台に床材を装着した使用も夫々可能である冷温感床材。
【考案の詳細な説明】
【技術分野】
【０００１】
本考案は、板材の両面に畳および丸面加工形状構造を設けた床材に関するものである。
【背景技術】
【０００２】
一般住宅、旅館、ホテルなどの調度品として、夏には冷感のある床材を、冬には温感の
ある床材をそれぞれ冷温感対策の観点から随所において使用されている。
【考案の概要】
【考案が解決しようとする課題】
【０００３】
夏に冷感のある床材、冬に温感のある床材をそれぞれ交換して使用するには、経済的負担も大きく、且つ夫々の素材を保管するスペースが必要となる。さらに、床材の取り付けに関しても時間的ならびに労働的負担も極めて大きい。そのため、一枚の板材の両面に畳および丸面加工形状構造を設けた素材を作製することにより、前述の欠点を解決するものである。
【課題を解決するための手段】
【０００４】
本考案は、冷感のある畳と温感のある丸面加工形状構造を一体化する素材を作製し、夏および冬の時期に応じて、床材を裏返しに取り付けることが可能となり、問題点が解決される。
【考案の効果】
【０００５】
上述の様に、板材の両面に冷感および温感のある素材を取り付けることにより、夏および冬の時期の何れにも使用が可能となる。ここで、冷温感の指標となる“接触冷温感評価値ｑMAX（カトーテック株式会社製KES−F7サーボラボ２試験機、試料の温度差（ΔT：１０℃）を一定にした後、センサーで試験上に接触させた時の瞬間の熱の移動量を測定し、冷温感の大小を評価する基準値である。ｑMAXは、冷温感を瞬間的に評価する値であり、一例として金属（ステンレス鋼）：０．７８Ｗ／ｃｍ２、畳：０．２５、毛布：０．０５、丸面加工形状構造：０．０５である。なおｑMAXが大きいほど冷感を感じ、小さいほど暖かさを感ずるとされている。
【図面の簡単な説明】
【０００６】
【図１】本考案の冷温感床材の実施例を示す正面図である。
【図２】本考案の冷温感床材の一部切欠断面図である。
【図３】冷温感床材を装填する土台の側面図である。
【図４】冷温感床材を装填する土台の正面図である。
【考案を実施するための形態】
【０００７】
冷感および温感を有する床材は、丸面加工形状構造を有する板材の裏面に畳を積層固定した形態をしている。床材をそのまま使用する場合もあるが、床材を装填する土台と組合せて用いられる場合もある。土台は、床材に荷重が負荷させる場合があるため、土台が破壊されない構造と強度が必要である。さらに、床材は両面での機能が異なるため、夏および冬の時期に応じて取り替えることが可能である。
【実施例】
【０００８】
以下、添付図面に従って、一実施例を説明する。１は畳面、２は丸面加工形状構造を設けた板材、３は畳と丸面加工を両面に固定した床材、４は床材装填用土台である。
【０００９】
部材１および２は表裏に一体化した床材であり、夏は１を上面にして冷感を付与し、冬は２を上面にすることにより暖かさを感ずるものであり、一年中を通して使用可能な床材である。  
【符号の説明】
【００１０】
１  畳面
２  丸面加工形状構造を設けた板材
３  床材
４  床材装填用土台
【図１】
0003193489.tif 000003
【図２】
0003193489.tif 000004
【図３】
0003193489.tif 000005
【図４】
0003193489.tif 000006
【手続補正書】
【提出日】平成26年8月6日(2014.8.6)
【手続補正１】
【補正対象書類名】実用新案登録請求の範囲
【補正対象項目名】全文
【補正方法】変更
【補正の内容】
【実用新案登録請求の範囲】
【請求項１】
片面を畳の面とし、もう片面を丸面加工形状構造の面としたことを特徴とする冷温感床材。
【請求項２】
畳及び丸面加工形状構造の面の外周を覆う枠と、枠及び冷温感床材の下に設けられ中央がくりぬかれた台と、台の長辺の中央から対向する長辺の中央に設けた梁と、台の４隅の下に設けた脚からなる土台を有したことを特徴とする、請求項１記載の冷温感床材。